(57)【要約】      （修正有）【課題】予定された服用時間外の薬剤の取り出しや、薬剤の飲み過ぎを防止できる薬剤服用管理システムおよび薬剤服用管理方法を提供する。【解決手段】薬剤服用管理システム１０は、薬剤ケース２０と、薬剤ケース２０に収容された薬剤の取り出しに関する通知を受信可能な登録端末５０と、登録端末５０および薬剤の服用が許容される許容服用時間を記憶する記憶部２４と、薬剤ケース２０から薬剤を取り出そうとする薬剤取出操作が行われたことを検知する取出操作検知部２７２と、取出操作検知部２７２の検知結果に基づいて、薬剤取出操作が許容服用時間外に行われたか否かを判定する時間外取出操作判定部２７３と、時間外取出操作判定部２７３において薬剤取出操作が許容服用時間外に行われたと判断された場合、薬剤の時間外取出操作が行われたことを通知する通知部２７８と、を備える。【選択図】図２
2016170683.tif 000002
【特許請求の範囲】
【請求項１】
薬剤ケースと、
前記薬剤ケースに収容された薬剤の取り出しに関する通知を受信可能な登録端末と、
前記登録端末および前記薬剤の服用が許容される許容服用時間を記憶する記憶部と、
前記薬剤ケースから前記薬剤を取り出そうとする薬剤取出操作が行われたことを検知する取出操作検知部と、
前記取出操作検知部の検知結果に基づいて、前記薬剤取出操作が前記許容服用時間外に行われたか否かを判定する時間外取出操作判定部と、
前記時間外取出操作判定部において前記薬剤取出操作が前記許容服用時間外に行われたと判断された場合、前記薬剤の時間外取出操作が行われたことを通知する通知部と、を備えていることを特徴とする薬剤服用管理システム。
【請求項２】
前記薬剤ケースから前記薬剤が取り出されたことを検知する薬剤取出検知部を備え、
前記記憶部は、前記薬剤の取出実績を記憶することを特徴とする請求項１に記載の薬剤服用管理システム。
【請求項３】
前記薬剤ケースと通信可能に設けられ、前記薬剤取出操作を行う薬剤取出端末を備え、
前記薬剤取出操作は、前記薬剤取出端末から前記薬剤ケースに対して前記薬剤の取り出しが可能な状態にすることを要求する操作であり、
前記通知部は、前記時間外取出操作が行われたと判断された場合、前記許容服用時間外に前記薬剤の取り出しを行うか否かの再確認を前記薬剤取出端末に通知することを特徴とする請求項１または請求項２に記載の薬剤服用管理システム。
【請求項４】
前記薬剤ケースと通信可能に設けられ、前記薬剤取出操作を行う薬剤取出端末を備え、
前記薬剤取出操作は、前記薬剤取出端末から前記薬剤ケースに対して前記薬剤の取り出しが可能な状態にすることを要求する操作であり、
前記薬剤は、前記許容服用時間ごとに割当てられ、
前記通知部は、前記許容服用時間に割当てられた薬剤の取出実績があった日に同じ許容服用時間の薬剤に対する前記薬剤取出操作が行われた場合、当該薬剤の取り出しを行うか否かの再確認を前記薬剤取出端末に通知することを特徴とする請求項１または請求項２に記載の薬剤服用管理システム。
【請求項５】
薬剤ケースに収容された薬剤の取り出しに関する通知を受信可能な登録端末と、前記薬剤の服用が許容される許容服用時間とを記憶部に記憶させる工程と、
前記薬剤ケースから前記薬剤を取り出そうとする薬剤取出操作が行われたことを検知する工程と、
検知結果に基づいて、前記薬剤取出操作が前記許容服用時間外に行われたか否かを判定する工程と、
前記薬剤取出操作が前記許容服用時間外に行われたと判断された場合、前記薬剤の時間外取出操作が行われたことを前記登録端末に通知する工程と、を備えていることを特徴とする薬剤服用管理方法。
【発明の詳細な説明】
【技術分野】
【０００１】
本発明は、薬剤服用管理システムおよび薬剤服用管理方法に関する。
【背景技術】
【０００２】
従来、薬剤の服用を管理する薬剤服用管理システムが知られている（例えば、特許文献１参照）。
特許文献１に記載の薬剤服用管理システムは、薬剤が収容された服薬管理装置から予定の服用時間を過ぎても薬剤が取り出されない場合、予め登録された連絡先に薬剤が服用されていないことを連絡するように構成されている。
【先行技術文献】
【特許文献】
【０００３】
【特許文献１】特開２０１１−３０９３４号公報
【発明の概要】
【発明が解決しようとする課題】
【０００４】
しかしながら、特許文献１に記載されたような従来の薬剤服用管理システムは、薬剤の飲み忘れを防ぐためのものであり、予定された服用時間外の薬剤の取り出しや、これに伴う薬剤の飲み過ぎを防ぐことができないという問題がある。
【０００５】
本発明の目的は、予定された服用時間外の薬剤の取り出しや、薬剤の飲み過ぎを防止できる薬剤服用管理システムおよび薬剤服用管理方法を提供することにある。
【課題を解決するための手段】
【０００６】
本発明の薬剤服用管理システムは、薬剤ケースと、前記薬剤ケースに収容された薬剤の取り出しに関する通知を受信可能な登録端末と、前記登録端末および前記薬剤の服用が許容される許容服用時間を記憶する記憶部と、前記薬剤ケースから前記薬剤を取り出そうとする薬剤取出操作が行われたことを検知する取出操作検知部と、前記取出操作検知部の検知結果に基づいて、前記薬剤取出操作が前記許容服用時間外に行われたか否かを判定する時間外取出操作判定部と、前記時間外取出操作判定部において前記薬剤取出操作が前記許容服用時間外に行われたと判断された場合、前記薬剤の時間外取出操作が行われたことを通知する通知部と、を備えていることを特徴とする。
【０００７】
本発明によれば、薬剤取出操作が許容服用時間外に行われた場合、服用者の保護者等が保有する登録端末に薬剤の時間外取出操作が行われたことを通知するため、予定された服用時間外の薬剤の取り出しや、これに伴う薬剤の飲み過ぎを防止することができる。
【０００８】
本発明の薬剤服用管理システムは、前記薬剤ケースから前記薬剤が取り出されたことを検知する薬剤取出検知部を備え、前記記憶部は、前記薬剤の取出実績を記憶することが好ましい。
【０００９】
本発明によれば、記憶部が薬剤の取出実績を記憶するため、服用者による薬剤の服用実績を後日確認することができる。
また、薬剤の取出実績を解析することにより、例えば、飲み忘れが多いまたは過剰に服用している等の服用傾向、服用者が嘘をついていないか、保護者等による服用管理ができているかについて確認することができるため、服用者や保護者等に服用に関する適切な指導を行うことができる。
また、許容服用時間外の薬剤取出操作が多い場合、許容服用時間の設定が適切でない可能性があるが、薬剤の取出実績を参考にすれば、服用者の生活リズムに合わせた許容服用時間に設定し直すことができる。
【００１０】
本発明の薬剤服用管理システムは、前記薬剤ケースと通信可能に設けられ、前記薬剤取出操作を行う薬剤取出端末を備え、前記薬剤取出操作は、前記薬剤取出端末から前記薬剤ケースに対して前記薬剤の取り出しが可能な状態にすることを要求する操作であり、前記通知部は、前記時間外取出操作が行われたと判断された場合、前記許容服用時間外に前記薬剤の取り出しを行うか否かの再確認を前記薬剤取出端末に通知することが好ましい。
【００１１】
本発明によれば、時間外取出操作が行われた場合、許容服用時間外に薬剤の取り出しを行うか否かの再確認を薬剤取出端末に通知するため、時間外取出操作が行われたことを服用者に認識させることができ、薬剤の飲み過ぎをより確実に防止することができる。
【００１２】
本発明の薬剤服用管理システムは、前記薬剤ケースと通信可能に設けられ、前記薬剤取出操作を行う薬剤取出端末を備え、前記薬剤取出操作は、前記薬剤取出端末から前記薬剤ケースに対して前記薬剤の取り出しが可能な状態にすることを要求する操作であり、前記薬剤は、前記許容服用時間ごとに割当てられ、前記通知部は、前記許容服用時間に割当てられた薬剤の取出実績があった日に同じ許容服用時間の薬剤に対する前記薬剤取出操作が行われた場合、当該薬剤の取り出しを行うか否かの再確認を前記薬剤取出端末に通知することが好ましい。
【００１３】
本発明によれば、薬剤の取出実績があった日に同じ許容服用時間の薬剤に対する薬剤取出操作が行われた場合、当該薬剤の取り出しを行うか否かの再確認を薬剤取出端末に通知するため、１日に同じ許容服用時間の薬剤を複数回服用する可能性があることを服用者に認識させることができ、薬剤の飲み過ぎをより確実に防止することができる。
【００１４】
本発明の薬剤服用管理方法は、薬剤ケースに収容された薬剤の取り出しに関する通知を受信可能な登録端末と、前記薬剤の服用が許容される許容服用時間とを記憶部に記憶させる工程と、前記薬剤ケースから前記薬剤を取り出そうとする薬剤取出操作が行われたことを検知する工程と、検知結果に基づいて、前記薬剤取出操作が前記許容服用時間外に行われたか否かを判定する工程と、前記薬剤取出操作が前記許容服用時間外に行われたと判断された場合、前記薬剤の時間外取出操作が行われたことを前記登録端末に通知する工程と、を備えていることを特徴とする。
【００１５】
本発明によれば、前述した薬剤服用管理システムと同様の効果を得ることができる。
【図面の簡単な説明】
【００１６】
【図１】本発明の一実施形態に係る薬剤服用管理システムの全体構成図。
【図２】薬剤服用管理システムのブロック図。
【図３】薬剤服用管理システムの全体処理を示すフローチャート。
【図４】薬剤服用管理システムの時間外取出防止処理を示すフローチャート。
【発明を実施するための形態】
【００１７】
以下、本発明の一実施形態を図面に基づいて説明する。
［システムの構成］
図１において、薬剤服用管理システム１０は、薬剤ケース２０、薬剤情報入力端末３０、薬剤取出端末４０および登録端末５０を備えている。
【００１８】
薬剤ケース２０は、複数の薬剤収容部２１と、ランプ２１Ａとを備えている。
薬剤収容部２１は、それぞれ独立して開閉可能に構成されており、各薬剤収容部２１に１回の服用分の薬剤を収容することで、各服用に必要な量の薬剤が取り出せるようになっている。
ランプ２１Ａは、各薬剤収容部２１に設けられている。ランプ２１Ａが点灯または点滅することで、服用者に服用分の薬剤が収容された薬剤収容部２１を知らせることができるようになっている。
【００１９】
薬剤情報入力端末３０は、病院や薬局等の医療提供施設に設置されたパーソナルコンピュータ等の端末であり、医療提供施設における薬剤師等の医療従事者により利用される。
【００２０】
薬剤取出端末４０は、薬剤ケース２０と通信可能に設けられ、薬剤ケース２０から薬剤を取り出そうとする薬剤取出操作を行う端末である。この薬剤取出端末４０は、例えば、携帯電話、スマートフォンおよびタブレット端末等の携帯端末、家庭内のパーソナルコンピュータ等の設置端末で構成される。
本実施形態の場合、薬剤取出操作は、薬剤取出端末４０から薬剤ケース２０に対して薬剤の取り出しが可能な状態にすることを要求する操作である。
【００２１】
登録端末５０は、予め薬剤ケース２０に登録された端末であり、服用者の保護者や介護者等により利用される。この登録端末５０は、薬剤ケース２０に収容された薬剤の取り出しに関する通知を受信可能に構成され、例えば、携帯電話、スマートフォンおよびタブレット端末等の携帯端末、家庭内のパーソナルコンピュータ等の設置端末で構成される。
【００２２】
以上の薬剤服用管理システム１０において、薬剤ケース２０、薬剤情報入力端末３０および薬剤取出端末４０は相互に、登録端末５０は薬剤取出端末４０との間で、それぞれ無線や有線での通信が可能となっている。
【００２３】
図２は、薬剤服用管理システム１０のブロック図である。
図２において、薬剤ケース２０は、機構部２２、通信部２３、記憶部２４、薬剤取出検知部２５、報知音出力部２６および制御部２７を備えている。
【００２４】
機構部２２は、薬剤収容部２１のロックおよびその解除を行ったり、ランプ２１Ａを駆動したりする機構を有している。
通信部２３は、薬剤情報入力端末３０および薬剤取出端末４０と無線や有線での通信が可能に構成されている。
【００２５】
記憶部２４は、ＲＡＭ（Random Access Memory）等の記憶媒体で構成され、制御部２７が薬剤ケース２０全体を制御するためのプログラムを記憶している。また、記憶部２４は、登録端末５０、薬剤ケース２０からの薬剤の取出実績、薬剤情報を記憶する。
薬剤情報は、薬剤ケース２０に収容される薬剤に関する情報であり、例えば、薬剤名、服用タイミングの基準となる基準服用時間、基準服用時間に対する許容誤差時間、１回の服用量が含まれる。この薬剤情報のうち、基準服用時間に許容誤差時間を加えたものが、各服用分の許容服用時間となる。
【００２６】
薬剤取出検知部２５は、薬剤収容部２１から薬剤が取り出されたことを検知可能に構成されている。この薬剤取出検知部２５としては、例えば、重量センサや光学センサ等のセンサや、カメラ等の撮像装置が利用できる。
報知音出力部２６は、基準服用時間になったことを知らせる報知音や、薬剤ケース２０からの薬剤の取り出し忘れを知らせる報知音その他の報知音を出力可能に構成されている。
【００２７】
制御部２７は、薬剤ケース２０全体の制御を行うように構成され、例えば、マイクロプロセッサ等の情報処理装置により構成される。この制御部２７は、服用時間判定部２７１、取出操作検知部２７２、時間外取出操作判定部２７３、機構駆動部２７４、薬剤取出判定部２７５、取出実績判定部２７６、薬剤有無判定部２７７および通知部２７８を備えている。
【００２８】
服用時間判定部２７１は、現在時刻が基準服用時間になったか否かを判定する。
取出操作検知部２７２は、薬剤取出端末４０による薬剤取出操作が行われたことを検知する。
時間外取出操作判定部２７３は、記憶部２４に記憶された基準服用時間および許容誤差時間から許容服用時間を算出した上で、取出操作検知部２７２の検知結果に基づいて、薬剤取出操作が許容服用時間内に行われたか否かを判定する。
機構駆動部２７４は、機構部２２を駆動させ、薬剤ケース２０の薬剤収容部２１のロックおよびその解除を行う。
薬剤取出判定部２７５は、薬剤取出検知部２５の検知結果に基づいて、薬剤ケース２０から実際に薬剤が取り出されたか否かを判定する。
取出実績判定部２７６は、選択された服用分が既に取り出されているか否かを判定する。
薬剤有無判定部２７７は、薬剤ケース２０内の薬剤がなくなったか否かを判定する。
通知部２７８は、上記各判定部の判定結果に応じて、各種通知を行う。
【００２９】
薬剤情報入力端末３０は、通信部３１、入力部３２、表示部３３および制御部３４を備えている。
通信部３１は、薬剤ケース２０の通信部２３と同様の構成であるため、説明を省略する。
入力部３２は、薬剤情報入力端末３０の入力操作を行うためのものであり、例えば、キーボード、マウス、ポインティング機器、タッチパネル、音声入力装置により構成される。
表示部３３は、入力部３２を操作する際の入力情報や、通信部３１が取得した情報などを表示するためのものであり、例えば、液晶などを用いた表示パネルにより構成される。
制御部３４は、薬剤情報入力端末３０全体の制御を行うように構成されている。
【００３０】
薬剤取出端末４０は、通信部４１、入力部４２、表示部４３および制御部４４を備えている。
通信部４１、入力部４２、表示部４３、および制御部４４は、薬剤情報入力端末３０の通信部３１、入力部３２、表示部３３、および制御部３４と同様の構成であるため、説明を省略する。
制御部４４は、薬剤取出端末４０全体の制御を行うように構成されている。
【００３１】
登録端末５０は、通信部５１を備えている。
通信部５１は、例えば、インターネット等の一般回線を介して、薬剤取出端末４０との通信が可能に構成されている。
【００３２】
以上の薬剤服用管理システム１０において、薬剤の服用を管理する手順について、薬剤ケース２０が服用者に渡されるまでの手順にも触れつつ説明する。
【００３３】
［システム全体の処理フロー］
図３は、薬剤服用管理システム１０の全体処理を示すフローチャートである。
図３において、医者が服用者の薬剤を処方すると（ステップＳ１）、薬剤師は、処方箋に基づいて薬剤を調整し、当該薬剤を薬剤ケース２０に入れる（ステップＳ２）。次いで、薬剤師が入力部３２を介して薬剤情報入力端末３０に基準服用時間、許容誤差時間等の薬剤情報を入力すると（ステップＳ３）、制御部３４が通信部３１を介して薬剤情報を薬剤ケース２０に送信する（ステップＳ４）。薬剤ケース２０では、通信部２３が薬剤情報を受信し、制御部２７が当該薬剤情報を記憶部２４に記憶させる（ステップＳ５）。そして、薬剤師は、服用者に薬剤ケース２０を引き渡す。
【００３４】
その後、服用者や保護者等が入力部４２を介して、薬剤取出端末４０の初期設定を行う（ステップＳ６）。初期設定時には、薬剤取出端末４０への専用ソフトウェアのインストールや、薬剤情報入力端末３０のメールアドレスの登録、基準服用時間の再設定、許容誤差時間の再設定等の初期設定情報の入力が行われる。次いで、通信部３１が初期設定情報を薬剤ケース２０に送信すると（ステップＳ７）、薬剤ケース２０では、通信部２３が初期設定情報を受信し、制御部２７が当該初期設定情報を記憶部２４に記憶させる（ステップＳ８）。
【００３５】
以上のようにして薬剤の服用管理ができる状態になると、薬剤ケース２０では、服用時間判定部２７１が基準服用時間になったか否かを判定する（ステップＳ９）。ステップＳ９において基準服用時間になったと判断されると、通知部２７８は、報知音としてのアラームを報知音出力部２６に出力させることで、基準服用時間になったことを服用者に報知する（ステップＳ１０）。その後、時間外取出操作判定部２７３は、薬剤取出端末４０で薬剤取出操作が行われたか否かを判定する（ステップＳ１１）。ステップＳ１１において、薬剤取出操作が行われたと判断されると、制御部２７は、許容服用時間外の薬剤の取り出しを防止する時間外取出防止処理を行う（ステップＳ１２）。この時間外取出防止処理の詳細は後述する。
【００３６】
その後、薬剤有無判定部２７７は、薬剤ケース２０内の薬剤がなくなったか否かを判定する（ステップＳ１３）。ステップＳ１３において、薬剤ケース２０内に薬剤が残っていると判断された場合は、ステップＳ９に戻り、薬剤がなくなったと判断された場合は、薬剤服用管理システム１０における薬剤の服用管理を終了する。
【００３７】
［時間外取出防止処理の処理フロー］
図４は、時間外取出防止処理を示す一例として、朝分を選択して薬剤取出操作を行った場合の時間外取出防止処理を示すフローチャートである。
図４において、薬剤取出端末４０によって朝分の薬剤を取り出す薬剤取出操作が行われると、取出実績判定部２７６は、朝分の薬剤が既に取り出されているか否かを判定する（ステップＳ２１）。
【００３８】
ステップＳ２１において、朝分が既に取り出されていると判断されると、通知部２７８は、本当に朝分を取り出すか否かの再確認を薬剤取出端末４０に通知し、制御部３４を介して当該通知を表示部４３に表示させる（ステップＳ２２）。本実施形態では、図４に示すように、「朝分は既に取出されていますが、本当に取出しますか？」と表示する。
一方、ステップＳ２１において、朝分がまだ取り出されていないと判断されると、時間外取出操作判定部２７３は、薬剤取出端末４０による薬剤取出操作が許容服用時間内に行われたか否かを判定する（ステップＳ２３）。例として、許容誤差時間を±３時間とした場合の許容服用時間を以下の表１に示す。
【００３９】
【表１】
2016170683.tif 000003
【００４０】
ステップＳ２３において、薬剤取出操作が許容服用時間外に行われたと判断された場合、通知部２７８は、本当に朝分として取り出すか否かの再確認を薬剤取出端末４０に通知し、制御部３４を介して当該通知を表示部３３に表示させる（ステップＳ２４）。本実施形態では、図４に示すように、「朝分の時間範囲外ですが、本当に朝分として取り出しますか？」と表示する。
ステップＳ２２およびステップＳ２４で「はい」が選択された場合、通知部２７８は、通信部２３を介して登録端末５０にメールを送信することで、薬剤の時間外取出操作が行われたことを保護者等に知らせる（ステップＳ２５）。
【００４１】
ステップＳ２３において、薬剤取出操作が許容服用時間内に行われたと判断された場合、またはステップＳ２５で登録端末５０にメールが送信された後、機構駆動部２７４は、機構部２２を駆動させ、薬剤ケース２０の薬剤収容部２１のロックを解除する（ステップＳ２６）
その後、薬剤取出判定部２７５は、薬剤収容部２１から薬剤が取り出されたか否かを判定する（ステップＳ２７）。ステップＳ２７において、薬剤が取り出されていないと判断されると、通知部２７８は、報知音出力部２６にアラームを出力させることで、薬剤の取り忘れを服用者に報知する（ステップＳ２８）。ステップＳ２８でアラームを出力させた後、またはステップＳ２２およびステップＳ２４で「はい」が選択された場合、時間外取出防止処理が終了する。
【００４２】
以上のような本実施形態によれば、次のような効果がある。
すなわち、薬剤取出操作が許容服用時間外に行われた場合、服用者の保護者等が保有する登録端末５０に薬剤の時間外取出操作が行われたことを通知するため、予定された服用時間外の薬剤の取り出しや、これに伴う薬剤の飲み過ぎを防止することができる。
【００４３】
また、記憶部２４が薬剤の取出実績を記憶するため、服用者による薬剤の服用実績を後日確認することができる。
また、薬剤の取出実績を解析することにより、例えば、飲み忘れが多いまたは過剰に服用している等の服用傾向、服用者が嘘をついていないか、保護者等による服用管理ができているかについて確認することができるため、服用者や保護者等に服用に関する適切な指導を行うことができる。
また、許容服用時間外の薬剤取出操作が多い場合、許容服用時間の設定が適切でない可能性があるが、薬剤の取出実績を参考にすれば、服用者の生活リズムに合わせた許容服用時間に設定し直すことができる。
【００４４】
また、時間外取出操作が行われた場合、許容服用時間外に薬剤の取り出しを行うか否かの再確認を薬剤取出端末４０に通知するため、時間外取出操作が行われたことを服用者に認識させることができ、薬剤の飲み過ぎをより確実に防止することができる。
【００４５】
また、薬剤の取出実績があった日に同じ許容服用時間の薬剤に対する薬剤取出操作が行われた場合、当該薬剤の取り出しを行うか否かの再確認を薬剤取出端末４０に通知するため、１日に同じ許容服用時間の薬剤を複数回服用する可能性があることを服用者に認識させることができ、薬剤の飲み過ぎをより確実に防止することができる。
【００４６】
また、報知音出力部２６は、基準服用時間になったときにアラームを出力することで、基準服用時間になったことを服用者に通知するため、薬剤の飲み忘れを防ぐことができる。
また、報知音出力部２６は、薬剤取出操作が行われたにもかかわらず薬剤が取り出されていない場合、報知音を出力するため、薬剤ケース２０から薬剤が取り出されていないことを服用者に認識させることができ、薬剤ケース２０からの薬剤の取り出し忘れを防止することができる。
【００４７】
なお、本発明は前述の実施形態に限定されるものではなく、本発明の目的を達成できる範囲での変形、改良等は本発明に含まれる。
例えば、薬剤取出操作は、薬剤ケース２０から薬剤を取り出そうとする操作であればよく、例えば、薬剤収容部２１を手動であける操作であってもよい。
【００４８】
薬剤ケース２０は、１回の服用分を取り出せるようになっていれば、薬剤収容部２１が複数設けられていなくてもよい。
薬剤ケース２０は、薬剤収容部２１が開かれたことを検知可能なセンサや、薬剤収容部２１の開閉を撮像するカメラ等の撮像装置をそれぞれ取出操作検知部２７２として備えてもよい。
機構部２２は、薬剤収容部２１を自動で開閉してもよい。この場合、薬剤取出端末４０で薬剤収容部２１を開くことを要求する操作が薬剤取出操作になる。
記憶部２４は、基準服用時間および許容誤差時間にかえて、または基準服用時間および許容誤差時間とともに、許容服用時間を記憶してもよい。
報知音出力部２６は、報知音にかえて音声で報知してもよい。
【００４９】
薬剤情報入力端末３０は、薬剤情報、初期設定情報、薬剤の取出実績等を薬剤ケース２０から取得してもよいし、これらの情報を表示部３３に表示させてもよい。
薬剤情報入力端末３０は、基準服用時間および許容誤差時間にかえて、または基準服用時間および許容誤差時間とともに、許容服用時間を入力可能としてもよい。
【００５０】
薬剤取出端末４０は、基準服用時間および許容誤差時間を再設定することにかえて、または基準服用時間および許容誤差時間の再設定とともに、許容服用時間を入力可能としてもよい。
【００５１】
登録端末５０は、薬剤ケース２０、薬剤情報入力端末３０および薬剤取出端末４０と相互に通信可能としてもよい。
登録端末５０は、複数あってもよい。この場合、薬剤ケース２０の通知部２７８は、全ての登録端末５０に通知を行ってもよいし、優先度の高い登録端末５０から順に通知を行ってもよい。
【符号の説明】
【００５２】
１０    薬剤服用管理システム
２０    薬剤ケース
４０    薬剤取出端末
５０    登録端末
２４    記憶部
２５    薬剤取出検知部
２６    報知音出力部
２７２  取出操作検知部
２７３  時間外取出操作判定部
２７８  通知部
【図１】
2016170683.tif 000004
【図２】
2016170683.tif 000005
【図３】
2016170683.tif 000006
【図４】
2016170683.tif 000007